【手続補正書】
【提出日】平成28年12月6日(2016.12.6)
【手続補正１】
【補正対象書類名】特許請求の範囲
【補正対象項目名】全文
【補正方法】変更
【補正の内容】
【特許請求の範囲】
【請求項１】
ネットワークを介してユーザに情報を提供するコンピュータのうち、所定の情報を提供する情報サービスを実現するサービスコンピュータと、前記ネットワークを介して接続され、前記情報サービスからユーザに提供される情報に基づく印刷サービスを提供する情報処理装置であって、
複数の異なる前記情報サービスであって、前記情報処理装置における前記印刷サービスの利用対象となる複数の情報サービスのそれぞれのアドレス情報を記憶する第１の記憶手段と、
前記ネットワークを介して接続されたユーザが所持する端末装置において表示された情報のうち、前記複数の情報サービスのいずれかから提供された情報に基づく印刷を予約する第１の要求を前記端末装置から受信する第１の受信手段と、
前記ネットワークを介して接続される印刷装置において、ユーザが前記第１の要求により印刷が予約された前記情報を印刷させるときに当該情報を指定するための印刷予約情報を記憶する第２の記憶手段に記憶させる印刷予約手段と、
印刷の実行を要求する第２の要求であって、前記端末装置に表示された前記印刷予約情報に基づく前記第２の要求を前記印刷装置から受信する第２の受信手段と、
前記複数の情報サービスのうち、前記第１の要求により印刷が予約された前記情報を提供する特定の情報サービスのアドレス情報を前記第１の記憶手段から取得し、取得した前記アドレス情報に基づいて当該特定の情報サービスにアクセスし、前記印刷装置に印刷させる前記情報の印刷対象の情報である印刷対象情報を当該特定の情報サービスから取得する取得手段と、
前記取得手段により取得された、前記第２の要求に対応する前記印刷予約情報により指定される前記情報の前記印刷対象情報を前記印刷装置に送信する送信手段と、
を有することを特徴とする情報処理装置。
【請求項２】
前記複数の情報サービスは、地図情報を扱う地図情報サービスを含み、
前記第１の記憶手段は、
前記地図情報サービスを含む前記複数の情報サービスのそれぞれのアドレス情報を記憶し、
前記取得手段は、
前記第１の要求により印刷が予約された前記情報を提供する前記特定の情報サービスが前記地図情報サービスの場合に、当該地図情報サービスのアドレス情報を前記第１の記憶手段から取得し、取得した前記アドレス情報に基づいて当該地図情報サービスにアクセスし、前記印刷装置に印刷させる前記情報の印刷対象の情報である印刷対象情報を当該地図情報サービスから取得する、
ことを特徴とする請求項１に記載の情報処理装置。
【請求項３】
前記印刷予約手段は、
前記印刷予約情報として、前記第１の要求に応じて付与された識別情報を前記第２の記憶手段に記憶させる、
ことを特徴とする請求項１又は２に記載の情報処理装置。
【請求項４】
前記識別情報は、予約番号である、
ことを特徴とする請求項３に記載の情報処理装置。
【請求項５】
前記印刷予約手段は、
前記印刷予約情報として、前記端末装置から指定された識別情報を記憶する第２の記憶手段に記憶させる、
ことを特徴とする請求項１又は２に記載の情報処理装置。
【請求項６】
前記識別情報は、前記端末装置のシリアルナンバ又は前記端末装置の電話番号である、ことを特徴とする請求項５に記載の情報処理装置。
【請求項７】
前記印刷予約手段は、
前記第１の受信手段により前記端末装置から受信された前記第１の要求に応じて前記印刷予約情報を前記第２の記憶手段に記憶させ、
前記送信手段は、
前記第２の受信手段により前記印刷装置から受信された前記第２の要求に応じて前記印刷対象情報を当該印刷装置に送信する、
ことを特徴とする請求項１乃至６の何れか一項に記載の情報処理装置。
【請求項８】
前記送信手段は、
前記第２の要求に対応する前記印刷予約情報が前記第２の記憶手段に記憶されている場合に、前記取得手段により取得された、当該印刷予約情報により指定される前記情報の前記印刷対象情報を前記印刷装置に送信する、
ことを特徴とする請求項１乃至７の何れか一項に記載の情報処理装置。
【請求項９】
ネットワークを介してユーザに情報を提供するコンピュータのうち、所定の情報を提供する情報サービスを実現するサービスコンピュータと、前記ネットワークを介して接続され、前記情報サービスからユーザに提供される情報に基づく印刷サービスを提供する情報処理装置における印刷方法であって、
複数の異なる前記情報サービスであって、前記情報処理装置における前記印刷サービスの利用対象となる複数の情報サービスのそれぞれのアドレス情報を記憶する第１の記憶手段に記憶させる記憶工程と、
前記ネットワークを介して接続されたユーザが所持する端末装置において表示された情報のうち、前記複数の情報サービスのいずれかから提供された情報に基づく印刷を予約する第１の要求を前記端末装置から受信する第１の受信工程と、
前記ネットワークを介して接続される印刷装置において、ユーザが前記第１の要求により印刷が予約された前記情報を印刷させるときに当該情報を指定するための印刷予約情報を記憶する第２の記憶手段に記憶させる印刷予約工程と、
印刷の実行を要求する第２の要求であって、前記端末装置に表示された前記印刷予約情報に基づく前記第２の要求を前記印刷装置から受信する第２の受信工程と、
前記複数の情報サービスのうち、前記第１の要求により印刷が予約された前記情報を提供する特定の情報サービスのアドレス情報を前記第１の記憶手段から取得し、取得した前記アドレス情報に基づいて当該特定の情報サービスにアクセスし、前記印刷装置に印刷させる前記情報の印刷対象の情報である印刷対象情報を当該特定の情報サービスから取得する取得工程と、
前記取得工程により取得された、前記第２の要求に対応する前記印刷予約情報により指定される前記情報の前記印刷対象情報を前記印刷装置に送信する送信工程と、
を有することを特徴とする印刷方法。
【請求項１０】
ネットワークを介してユーザに情報を提供するコンピュータのうち、所定の情報を提供する情報サービスを実現するサービスコンピュータと、前記ネットワークを介して接続され、前記情報サービスからユーザに提供される情報に基づく印刷サービスを提供する情報処理装置を制御するコンピュータを、
複数の異なる前記情報サービスであって、前記情報処理装置における前記印刷サービスの利用対象となる複数の情報サービスのそれぞれのアドレス情報を記憶する第１の記憶手段と、
前記ネットワークを介して接続されたユーザが所持する端末装置において表示された情報のうち、前記複数の情報サービスのいずれかから提供された情報に基づく印刷を予約する第１の要求を前記端末装置から受信する第１の受信手段と、
前記ネットワークを介して接続される印刷装置において、ユーザが前記第１の要求により印刷が予約された前記情報を印刷させるときに当該情報を指定するための印刷予約情報を記憶する第２の記憶手段に記憶させる印刷予約手段と、
印刷の実行を要求する第２の要求であって、前記端末装置に表示された前記印刷予約情報に基づく前記第２の要求を前記印刷装置から受信する第２の受信手段と、
前記複数の情報サービスのうち、前記第１の要求により印刷が予約された前記情報を提供する特定の情報サービスのアドレス情報を前記第１の記憶手段から取得し、取得した前記アドレス情報に基づいて当該特定の情報サービスにアクセスし、前記印刷装置に印刷させる前記情報の印刷対象の情報である印刷対象情報を当該特定の情報サービスから取得する取得手段と、
前記取得手段により取得された、前記第２の要求に対応する前記印刷予約情報により指定される前記情報の前記印刷対象情報を前記印刷装置に送信する送信手段と、
として機能させるためのプログラム。
【手続補正２】
【補正対象書類名】明細書
【補正対象項目名】発明の名称
【補正方法】変更
【補正の内容】
【発明の名称】情報処理装置、印刷方法およびプログラム
【手続補正３】
【補正対象書類名】明細書
【補正対象項目名】０００１
【補正方法】変更
【補正の内容】
【０００１】
本発明は、情報処理装置、印刷方法およびプログラムに関する。
【手続補正４】
【補正対象書類名】明細書
【補正対象項目名】０００５
【補正方法】変更
【補正の内容】
【０００５】
本発明は上述の問題点を解決するために成されたものであり、情報処理装置を使って取得した情報を印刷装置で出力する際、情報を取得した本人が確実に出力された情報を受け取ることができる情報処理装置、印刷方法およびプログラムを提供することを目的とする。
【手続補正５】
【補正対象書類名】明細書
【補正対象項目名】０００６
【補正方法】変更
【補正の内容】
【０００６】
上述した課題を解決し、目的を達成するために、本発明にかかる情報処理装置は、ネットワークを介してユーザに情報を提供するコンピュータのうち、所定の情報を提供する情報サービスを実現するサービスコンピュータと、前記ネットワークを介して接続され、前記情報サービスからユーザに提供される情報に基づく印刷サービスを提供する情報処理装置であって、複数の異なる前記情報サービスであって、前記情報処理装置における前記印刷サービスの利用対象となる複数の情報サービスのそれぞれのアドレス情報を記憶する第１の記憶手段と、前記ネットワークを介して接続されたユーザが所持する端末装置において表示された情報のうち、前記複数の情報サービスのいずれかから提供された情報に基づく印刷を予約する第１の要求を前記端末装置から受信する第１の受信手段と、前記ネットワークを介して接続される印刷装置において、ユーザが前記第１の要求により印刷が予約された前記情報を印刷させるときに当該情報を指定するための印刷予約情報を記憶する第２の記憶手段に記憶させる印刷予約手段と、印刷の実行を要求する第２の要求であって、前記端末装置に表示された前記印刷予約情報に基づく前記第２の要求を前記印刷装置から受信する第２の受信手段と、前記複数の情報サービスのうち、前記第１の要求により印刷が予約された前記情報を提供する特定の情報サービスのアドレス情報を前記第１の記憶手段から取得し、取得した前記アドレス情報に基づいて当該特定の情報サービスにアクセスし、前記印刷装置に印刷させる前記情報の印刷対象の情報である印刷対象情報を当該特定の情報サービスから取得する取得手段と、前記取得手段により取得された、前記第２の要求に対応する前記印刷予約情報により指定される前記情報の前記印刷対象情報を前記印刷装置に送信する送信手段と、を有する。